(57)【要約】【課題】  記入された情報を隠蔽用紙片で隠蔽することにより秘密保持を可能とし、隠蔽葉書を開封してスキャナー等を備えた読み取り機に通しても隠蔽葉書の２枚出し等が発生することもなく、記入された情報をスキャナー等で読み取り機械入力可能な隠蔽葉書を提供するものである。【解決手段】  基紙に設けられたミシン目線を介して葉書本体片と隠蔽用紙片とが連接された隠蔽葉書であって、隠蔽用紙片上に隠蔽層、接着剤層、剥離剤層、上面に透明な粘着剤層を有する透明性シート、剥離紙が順次重ねられて構成され、透明性シートのミシン目線と対向する側端部に透明性シートの下面の一部と隠蔽用紙片の上面の一部、または透明性シートの下面の一部と隠蔽層の上面の一部とを直接接着する接着剤層が設けられていることを特徴とする隠蔽葉書である。【選択図】        図１
2010125786.tif 000002
【特許請求の範囲】
【請求項１】
基紙に設けられたミシン目線を介して葉書本体片と隠蔽用紙片とが連接された隠蔽葉書であって、前記隠蔽用紙片上に隠蔽層、接着剤層、透明な剥離剤層、上面に透明な粘着剤層を有する透明性シート、剥離紙が順次重ねられて構成され、前記透明性シートの前記ミシン目線と対向する側端部に前記透明性シートの下面の一部と前記隠蔽用紙片の上面の一部、または前記透明性シートの下面の一部と前記隠蔽層の上面の一部とを直接接着する接着剤層が設けられていることを特徴とする隠蔽葉書。
【請求項２】
前記ミシン目線が、開封用ミシン目線であって、該開封用ミシン目線が間欠した切目からなり、該切目が、前記隠蔽用紙片の前記ミシン目線と対向する側端部に平行な直線部と該直線部の一方の端より該直線部に対して鈍角で斜めに前記隠蔽用紙片側に延びる斜線部とからなり、開封方向が、前記切目の前記斜線部から前記直線部に向かう方向となるようにして引張って開封することを特徴とする請求項１に記載の隠蔽葉書。
【請求項３】
前記葉書本体片上には、下面に複写層を有する前記葉書本体片と略同サイズの上側用紙片が重ねられ、前記上側用紙片の端部が葉書本体片の端部と接着されていることを特徴とする請求項１または２に記載の隠蔽葉書。
【請求項４】
前記ミシン目線を介して前記葉書本体片と前記隠蔽用紙片とが連接された基紙と略同じサイズの上側用紙片が、前記葉書本体片上及び前記剥離紙上に重ねられ、該上側用紙片は、前記葉書本体片と対向する面には複写層を有し、前記ミシン目線と略対向する位置に切取線が設けられた構成からなり、前記上側用紙片と前記剥離紙が前記ミシン目線近傍の端部及び該ミシン目線に対向する端部で接着されると共に前記上側用紙片の端部と葉書本体片の端部が接着されていることを特徴とする請求項１または２に記載の隠蔽葉書。
【発明の詳細な説明】
【技術分野】
【０００１】
本発明は、記入された通知情報の秘密保持を可能とする隠蔽葉書に関し、特に送信時に記入された通知情報を受信者がスキャナー等で読み取り機械入力を可能とした隠蔽葉書に関するものである。
【背景技術】
【０００２】
従来の他人が通知情報を視認できないようにした隠蔽式の葉書としては、シート基材と、シート基材の表面の所定範囲に設けられた剥離層と、剥離層の表面に設けられ、筆記適性を有する透明性接着剤層と、透明性接着剤層の表面に接着された透明性基材層と、透明性基材層の表面に設けられた透明性粘着剤層と、を備えた隠蔽ラベルが知られている。（例えば、特許文献１参照）。また、折目線を介して、葉書本体片と隠蔽用紙片とが折り曲げ可能に連接され、隠蔽用紙片上に、剥離剤層、接着剤層、上面に透明な粘着剤層を有する透明性シート、剥離紙が順次重ねられた隠蔽葉書も知られている（例えば、特許文献２参照）。
【０００３】
特許文献１の隠蔽ラベルは記入された情報部分に剥離紙を剥がして表出させた透明性粘着剤層を貼り付けて記入された情報を隠蔽して投函されるものである。そして受信者は、透明性接着剤層と剥離層の間から開封することにより、透明性基材層を透かして記入された情報が目視可能となる。特許文献２の隠蔽葉書は、葉書本体片に設けられた情報記入欄に記入された情報を隠蔽するために剥離紙を剥離し露出させた粘着剤層面を情報記入欄に重ね合わせて接着することにより記入された情報を隠蔽して投函されるものである。そして、受信者は、剥離剤層と接着剤層との界面から剥離し、情報記入欄に記入された情報を透明性シートを透かして視認できる。
【０００４】
一方、受信者側では、従来、記入された情報をコンピューター等に手入力して情報の管理・活用していたが、最近は、スキャナー等で記入された情報を読み取って機械入力されることが主になってきた。しかしながら、特許文献１、２の隠蔽ラベルまたは隠蔽葉書は、いずれも剥離層または剥離剤層と接着剤層との界面で剥離されるために、記入された情報を覆った透明性基材層または透明性シートの表面は、接着剤層が表出した状態となっている。該接着剤層面は滑り性が悪く、スキャナー等を備えた読み取り機のフィーダー部に隠蔽ラベルまたは隠蔽葉書を積み重ね、一枚ずつ読み取り部にフィードする際にフィードされる隠蔽ラベルまたは隠蔽葉書の記入された情報面と反対側の面と次にフィードされる隠蔽ラベルまたは隠蔽葉書の表面に表出した接着剤層面とが密着し２枚重なった状態でフィードされ（以下、２枚出しという）たり、正規の読み取り位置にフィードされず読み取り位置ずれしたりして、スキャンミスがときどき発生するという不具合がある。
【特許文献１】特開２００４−１０２１８８号公報
【特許文献２】特開２００７−３０１７３５号公報
【発明の開示】
【発明が解決しようとする課題】
【０００５】
本発明は、上記のような従来の問題点に鑑み、記入された情報を隠蔽用紙片で隠蔽することにより秘密保持を可能とし、隠蔽葉書を開封してスキャナー等を備えた読み取り機に通しても隠蔽葉書の２枚出し等が発生することもなく、記入された情報をスキャナー等で読み取り機械入力可能な隠蔽葉書を提供するものである。
【課題を解決するための手段】
【０００６】
上記課題を解決するために、請求項１に記載の本発明は、基紙に設けられたミシン目線を介して葉書本体片と隠蔽用紙片とが連接された隠蔽葉書であって、前記隠蔽用紙片上に隠蔽層、接着剤層、透明な剥離剤層、上面に透明な粘着剤層を有する透明性シート、剥離紙が順次重ねられて構成され、前記透明性シートの前記ミシン目線と対向する側端部に前記透明性シートの下面の一部と前記隠蔽用紙片の上面の一部、または前記透明性シートの下面の一部と前記隠蔽層の上面の一部とを直接接着する接着剤層が設けられていることを特徴とする隠蔽葉書である。
【０００７】
また、請求項２に記載の本発明は、請求項１に記載の隠蔽葉書において、前記ミシン目線が、開封用ミシン目線であって、該開封用ミシン目線が間欠した切目からなり、該切目が、前記隠蔽用紙片の前記ミシン目線と対向する側端部に平行な直線部と該直線部の一方の端より該直線部に対して鈍角で斜めに前記隠蔽用紙片側に延びる斜線部とからなり、開封方向が、前記切目の前記斜線部から前記直線部に向かう方向となるようにして引張って開封することを特徴とするものである。
【０００８】
また、請求項３に記載の本発明は、請求項１または２に記載の隠蔽葉書において、前記葉書本体片上には、下面に複写層を有する前記葉書本体片と略同サイズの上側用紙片が重ねられ、前記上側用紙片の端部が葉書本体片の端部と接着されていることを特徴とするものである。
【０００９】
また、請求項４に記載の本発明は、請求項１または２に記載の隠蔽葉書において、前記ミシン目線を介して前記葉書本体片と前記隠蔽用紙片とが連接された基紙と略同じサイズの上側用紙片が、前記葉書本体片上及び前記剥離紙上に重ねられ、該上側用紙片は、前記葉書本体片と対向する面には複写層を有し、前記ミシン目線と略対向する位置に切取線が設けられた構成からなり、前記上側用紙片と前記剥離紙が前記ミシン目線近傍の端部及び該ミシン目線に対向する端部で接着されると共に前記上側用紙片の端部と葉書本体片の端部が接着されていることを特徴とするものである。
【発明の効果】
【００１０】
本発明の隠蔽葉書は、基紙に設けられたミシン目線を介して葉書本体片と隠蔽用紙片とが連接された隠蔽葉書であって、隠蔽用紙片上に隠蔽層、接着剤層、透明な剥離剤層、上面に透明な粘着剤層を有する透明性シート、剥離紙が順次重ねられた構成とすることにより、隠蔽葉書の使用者が葉書本体片に記入した情報を剥離紙を剥がして、粘着剤層を露出させて、ミシン目線で二つ折りにし、粘着剤層の面と葉書本体片の表面に記入した情報の面とを接着することにより、情報が容易に隠蔽でき、第三者に対して秘密保持が可能となる。そして、この隠蔽葉書を受取った受取人は、隠蔽用紙片を剥離剤層と接着剤層との接着界面から剥離させることができ、記入された情報を透明性シートを透かして読み取ることができる。さらに本発明の隠蔽葉書は、記入された情報は透明性シートで覆われ、表面に剥離剤層が表出した状態となっているのでスキャナー等を備えた読み取り機のフィーダー部において隠蔽葉書が２枚出しされることなくスムーズに一枚ずつフィードされるのでスキャンミスが発生することなく、読み取ることができ機械入力が可能となる。
【００１１】
本発明の隠蔽葉書は、隠蔽用紙片上に隠蔽層、接着剤層、透明な剥離剤層、上面に透明な粘着剤層を有する透明性シート、剥離紙が順次重ねられて構成され、透明性シートのミシン目線と対向する側端部に透明性シートの下面の一部と隠蔽用紙片の上面の一部、または透明性シートの下面の一部と隠蔽層の上面の一部とを直接接着する接着剤層が設けられている構成とすることにより、剥離紙を剥離する際に、誤って剥離剤層と接着剤層との層間より剥離させてしまうことを防止する効果がある。
【００１２】
また、請求項２の本発明は、請求項１のミシン目線を開封用ミシン目線とし、該開封用ミシン目線を間欠した切目からなり、該切目が、前記隠蔽用紙片の前記ミシン目線と対向する側端部に平行な直線部と該直線部の一方の端より該直線部に対して鈍角で斜めに隠蔽用紙片側に延びる斜線部とからなり、開封方向が、切目の斜線部から直線部に向かう方向となるような構成とすることにより、隠蔽用紙片を引張って開封する際に開封方向が逸れることなく開封用ミシン目線に案内されるので開封用ミシン目線に沿って容易に開封することができる。
【００１３】
また、請求項３の本発明は、葉書本体片上には、下面に複写層を有する葉書本体片と略同サイズの上側用紙片が重ねられ、上側用紙片の端部が葉書本体片の端部と接着されている構成とすることにより、隠蔽葉書の使用者は、上側用紙片に所定の通知情報を記入した後、該上側用紙片を葉書本体片から取外すと容易に控えとでき、別途に控えをとる手間や煩わしさがなくなり、控えのとり忘れも防止できるという効果を奏する。また、上側用紙片の端部が葉書本体片の端部と接着されており、隠蔽葉書の使用者が上側用紙片に通知情報を記入する際に、上側用紙片が葉書本体片からずれることがなく記入が容易になり、また、上側用紙片を容易に取外すことができる。
【００１４】
また、請求項４記載の本発明は、ミシン目線を介して葉書本体片と隠蔽用紙片とが連接された基紙と略同じサイズの上側用紙片が、葉書本体片上及び剥離紙上に重ねられ、該上側用紙片は、葉書本体片と対向する面には複写層を有し、ミシン目線と略対向する位置に切取線が設けられた構成からなり、上側用紙片と剥離紙がミシン目線近傍の端部及び該ミシン目線に対向する端部で接着されると共に上側用紙片の端部と葉書本体片の端部が接着されている構成とすることにより、葉書本体片と対向する側の上側用紙片を控にできるという上記効果を奏し、隠蔽用紙片と対向する側の上側用紙片には、顧客への情報提供やキャンペーン情報等の情報提供スペースとして活用できる。
【発明を実施するための最良の形態】
【００１５】
以下図面を用いて、本発明の実施形態について説明する。図１は本発明に係る隠蔽葉書の第一実施形態を示す斜視図、図２は図１のＸ−Ｘ線断面図、図３は図１のＹ−Ｙ線断面図、図４は本発明に係る隠蔽葉書の第一実施形態の上側用紙片を取外し、剥離紙の一部を剥離した状態を示す断面図、図５は本発明に係る第一実施形態の隠蔽葉書を接着して形成させた隠蔽葉書の断面図、図６は本発明に係る第一実施形態の隠蔽葉書を受取った受取人が隠蔽用紙片を剥離して取り除いた状態を説明するための断面図、図７は本発明に係る第一実施形態の隠蔽葉書を受取った受取人が隠蔽用紙片を剥離して取り除いた状態を説明するための斜視図、図８は本発明に係る隠蔽葉書の第二実施形態を示す斜視図、図９は図８のＸ−Ｘ線断面図である。図中の符号１、１’は隠蔽葉書、２は基紙、３はミシン目線、４は開封用ミシン目線、１０は葉書本体片、１１は情報記入欄、２０は隠蔽用紙片、２０ａは側端部、２１は透明性シート、２２は剥離紙、２３は隠蔽層、２４は第１の接着剤層、２５は剥離剤層、２６は粘着剤層、２７は第２の接着剤層、３０、３０’は上側用紙片、３１は複写層、３２はスポット接着部、３３は切取線、３４は端部接着部、４１は切目、４１ａは直線部、４１ｂは斜線部、４２は交点をそれぞれ示す。
【００１６】
本発明の第一実施形態の隠蔽葉書は、図１〜図３に示す通りである。図１は本発明の隠蔽葉書の第一実施形態を示す上面から見た斜視図であり、円内はミシン目線の構成を示す拡大図である。図２は図１のＸ−Ｘ線断面図、図３は図１のＹ−Ｙ線断面図である。図１〜３に示すように本発明の第一実施形態の隠蔽葉書１は、基紙２の略中央に設けられたミシン目線３を介して右側に葉書本体片１０と左側に隠蔽用紙片２０とが連接して配置されている。葉書本体片１０と隠蔽用紙片２０とは、それぞれ葉書サイズの寸法を有しており、ミシン目線３で二つに折り畳むと、二つ折りされた大きさが葉書寸法となるように構成されている。
【００１７】
図１に示すように、隠蔽用紙片２０の上には透明性シート２１と、剥離紙２２とが順次重ねられ、剥離紙２２の表面には、隠蔽葉書１の使用説明や剥離箇所等の文字、記号、絵柄等が印刷されている。さらに隠蔽用紙片２０の詳細な積層構成は図２に示すように、隠蔽用紙片２０上に隠蔽層２３、第１の接着剤層２４、透明な剥離剤層２５、上面に透明な粘着剤層２６を有する透明性シート２１、剥離紙２２が順次重ねられ、第１の接着剤層２４と剥離剤層２５との層間、及び粘着剤層２６と剥離紙２２との間が剥離可能な状態で重ね合わされた構成である。また、透明性シート２１のミシン目線３と対向する側端部２０ａに透明性シート２１の下面の一部と隠蔽用紙片２０上に設けられた隠蔽層２３の上面の一部とを直接接着する第２の接着剤層２７が側端縁に沿って設けられている。第２の接着剤層２７を設けることにより、隠蔽葉書１の使用者が、側端部２０ａの隅部より剥離紙２２を剥離する際に、例えば指で剥離紙２２を捲りあげたときに、透明性シート２１の下面と、隠蔽用紙片２０上に設けられた隠蔽層２３の上面が直接接着されているために隠蔽用紙片２０から透明性シート２１が誤って剥離されないように保護されている。また、第２の接着剤層２７は第１の接着剤層２４を設ける際に、同じ接着剤を用いて一体の接着剤層としてもよい。なお、第２の接着剤層２７を設ける部分は隠蔽層２３を設けずに透明性シート２１の下面の一部と隠蔽用紙片２０の上面の一部が直接接着する構成としてもよい。
【００１８】
また、図１に示すように葉書本体片１０の上には、略同サイズの上側用紙片３０が、上側用紙片３０の上端部及び右側端部と葉書本体片１０の上端部及び右側端部とを揃えて重ねられ、該上端部には上端部より後退させた両隅近傍に２箇所のスポット接着部３２を設け、該スポット接着部３２で接着されている。図１に示す第一実施形態の隠蔽葉書１は、例えば、電気料金口座振替依頼書であって、上側用紙片３０の表面には情報記入欄１１が設けられ図示しないが、例えば、「お客さま番号」「ご指定口座」「電気の使用場所」「連絡先」等の必要な記入項目や所定事項記入欄等が印刷されている。葉書本体片１０の表面には図示しないが、上側用紙片３０の情報記入欄１１の所定事項記入欄の位置に合せて記入項目や所定事項複写欄や口座のお届け印欄が設けられている。上側用紙片３０と葉書本体片１０とは上端部、側端部、下端部のいずれかで接着すればよいものであるが上端部もしくは左側端部で接着するのが好ましく、隠蔽葉書の使用者が右ききの場合には、上側用紙片３０に通知情報を記入する際に、上側用紙片３０が葉書本体片１０からずれることがなく記入が容易になるものである。また、スポット接着部３２とすることにより、使用者が上側用紙片３０を容易に取外すことができるので端部全幅を接着するより好ましい。さらにはスポット接着部３２を上端縁に設けるよりも、上端部より後退させた位置に設ける方が、使用者が上側用紙片３０を取外した場合にときたま発生する上側用紙片３０の紙破れ小片が葉書本体片１０の上端部より外方にはみ出すことが防げるので好ましい。また、スポット接着部３２には例えば弱粘着性の再剥離可能な再剥離再貼付粘着剤を使用したり、あるいは、上側用紙片３０の下面あるいは葉書本体片１０の上面のスポット接着部３２を設ける部分に剥離剤層を設ける構成としてもよい。
【００１９】
また、図２、図３に示すように上側用紙片３０は、下面に黒や藍等に着色された複写層３１を有し、該複写層３１は情報記入欄１１に相当する領域に設けられている。複写層３１は上側用紙片３０の下面の全面に設けてもよいし、あるいは、所定事項記入欄の位置に合せて記入欄のみに部分的に設けてもよい。このように複写層３１を設けることにより、上側用紙片３０の所定事項記入欄に使用者が、ボールペン等の筆記具で記入すると、押圧された部分の着色された複写層３１が葉書本体片１０に設けられた所定事項複写欄に転写されて必要事項が複写される。なお、上側用紙片３０は、設けない構成にもできるが、顧客が控えにメモをとる煩わしさがなくなるので上側用紙片３０を設けた方が好ましい。
【００２０】
図１の円内に示す拡大図のように、ミシン目線３が、開封用ミシン目線４であって、該開封用ミシン目線４は、間欠した切目４１からなり、該切目４１が、隠蔽用紙片２０のミシン目線３と対向する側端部に平行な直線部４１ａと該直線部４１ａの一方の端より該直線部４１ａに対して鈍角で斜めに隠蔽用紙片２０側に延びる斜線部４１ｂとからなる構成である。また、隣り合う切目４１、４１の位置関係は図１に限定されるものではなく、斜線部４１ｂの先端より直線部４１ａの延長線（一点鎖線で図示）に対して下ろした垂線との交点４２が隣り合う切目４１の直線部４１ａに近接するように形成するのが好ましく、接するか乃至は重なるように形成するのがより好ましい。さらに、開封方向が、切目４１の斜線部４１ｂから直線部４１ａに向かう方向とされ、斜線部４１ｂ側から直線部４１ａに向かって引張ることにより開封用ミシン目線４に沿って開封可能とされている。さらに、隠蔽用紙片２０の開封用ミシン目線４側の隅部に切り欠きを設けておくと後述する使用方法において受取人が開封しやすいので好ましい形態である。なお、ミシン目線３を開封用ミシン目線４としない場合には、ミシン目でもよい。ミシン目線３を形成することにより、ミシン目線３で二つ折りにし、隠蔽用紙片２０を葉書本体片１０の上に重ねて接着することが容易となる。
【００２１】
次に、図２、図３を参照しながら本発明の隠蔽葉書１に使用される材料について説明する。基紙２には上質紙、カード紙、コート紙、クレーコート紙、クラフト紙、合成紙等が使用でき、坪量及び大きさは、郵便法の規定に基づき定める「内国郵便約款」の範囲で任意に選定できる。剥離紙２２には上質紙、クラフト紙、コート紙、グラシン紙等が使用でき、さらに、少なくとも粘着剤層２６と接する側の面にシリコン系あるいはアクリル系樹脂等が印刷あるいはコーティングされてなる剥離層が設けられている。粘着剤層２６に用いる粘着剤には、アクリル系樹脂、ゴム系樹脂等を用いた一般の透明な粘着剤等が使用できる。透明性シート２１に用いられる透明性基材には、グラシン紙等の透明性のある紙やプラスチックフィルムや不織布が用いられるが、廃棄性、分別回収性の面からグラシン紙等の紙基材が望ましい。第１の接着剤層２４に用いる接着剤には、酢酸ビニル系やアクリル系やあるいはその混合系や合成ゴム系等の合成樹脂エマルジョンタイプ等の接着剤が用いられる。第２の接着剤層２７に用いられる接着剤には、酢酸ビニル系や合成ゴム系等の合成樹脂エマルジョンタイプ、あるいはポバール、デキストリン、にかわ等の再湿タイプを用いることができる。
【００２２】
剥離剤層２５に用いられる透明な剥離剤としてはウレタンアクリレート、アクリレート等を主成分とする紫外線硬化型のＵＶインキ等が使用でき、全面ベタ若しくはパターン状にオフセット印刷、活版印刷等により形成される。なお、ＵＶインキにシリコン系の材料を適宜、添加して剥離性のコントロールをしてもよい。隠蔽用紙片２０の上面に設ける隠蔽層２３は、黒、グレー、藍、グリーン等の濃色インキを用いて隠蔽用紙片２０の上面にベタ印刷あるいは地紋印刷などを施して設ければよい。上側用紙片３０には上質紙、薄葉紙等が使用でき、下面には複写層３１が設けられている。複写層３１には公知の複写用カーボンインキ等が使用でき、全面ベタ若しくはパターン状にオフセット印刷、活版印刷等により形成される。スポット接着部３２及び端部接着部３４に用いられる接着剤には、酢酸ビニル系や合成ゴム系等の合成樹脂エマルジョンタイプ、あるいはポバール、デキストリン、にかわ等の再湿タイプを用いることができる。
【００２３】
次に図１〜２、図４〜７を参照しながら本発明の隠蔽葉書１の使用方法を説明する。図４、図５、図６は、図１のＸ−Ｘ線断面に相当する断面図であって本発明の隠蔽葉書１の使用方法を説明する図である。まず、隠蔽葉書１の使用者は、図１、図２に示すように、隠蔽葉書１を見開き状態にして、上側用紙片３０の表面の情報記入欄１１に設定されている所定事項記入欄に必要事項をボールペン等の筆記具で記入し、記入後、上側用紙片３０を葉書本体片１０から引き剥がし、控えとして保管する。そして、葉書本体片１０の表面に設けられた所定事項複写欄に複写されていることを確認する。
【００２４】
その後、図４に示すように剥離紙２２を剥がして、粘着剤層２６を露出させて、ミシン目線３（開封用ミシン目線４）で二つ折りにし、粘着剤層２６の面と葉書本体片１０の表面に設けられた所定事項複写欄の面とを接着することにより、複写事項が隠蔽され、図５に示す状態にされる。そして、単体葉書として投函すればよい。
【００２５】
次に、この隠蔽葉書１を受取った受取人は、例えば、隠蔽用紙片２０の開封用ミシン目線４（ミシン目線３）側の隅部に設けられた切り欠き（図示しない）より隠蔽用紙片２０を摘んで、隠蔽用紙片２０に設けられている第１の接着剤層２４と剥離剤層２５との接着界面から剥離させる。そして、図６に示すように隠蔽用紙片２０を開封方向に引張り開封用ミシン目線４に沿って切取り葉書本体片１０から取り除く。すると図７に示すように隠蔽用紙片２０が取り除かれた葉書本体片１０の所定事項複写欄に複写された内容を透明性シート２１を透かして読み取ることができる状態となる。その後、スキャナー等を備えた読み取り機のフィーダー部に隠蔽葉書を積み重ねて供給し複写された内容を一枚ずつ読み取る。
【００２６】
この場合、透明性シート２１の表面には剥離剤層２５が表出した状態となっており滑り性がよいために、上記読み取り機のフィーダー部において隠蔽葉書が２枚出しされることなくスムーズに一枚ずつフィードされるのでスキャンミスを防止でき、機械入力が可能となる。
【００２７】
本発明に係る隠蔽葉書の第二実施形態は、図８、図９に示す通りである。本発明に係る第二実施形態の隠蔽葉書１’は、ミシン目線３（開封用ミシン目線４）を介して葉書本体片１０と隠蔽用紙片２０とが連接された基紙２と略同じサイズの上側用紙片３０’が、葉書本体片１０上及び剥離紙２２上に重ねられ、上側用紙片３０’は、葉書本体片１０と対向する面には複写層３１を有し、開封用ミシン目線４と略対向する位置に切取線３３が設けられた構成である。そして上側用紙片３０’と剥離紙２２が開封用ミシン目線４近傍の端部及び該開封用ミシン目線４に対向する左側端部における端部接着部３４、３４にて接着されると共に上側用紙片３０’の端部と葉書本体片１０の端部が上端部の隅部近傍に設けられたスポット接着部３２で接着されている。上側用紙片３０’をこのような構成とすることにより葉書本体片１０と対向する側の上側用紙片３０’を切取線３３で切取って控にできると共に、隠蔽用紙片２０と対向する側の上側用紙片３０’には、顧客への情報提供やキャンペーン情報等の情報提供スペースとして活用できる。なお、端部接着部３４は、開封用ミシン目線４及び左側端部の端縁よりやや内側に寄せて線状に設けた例を示したが、これに限定されるものではなく、四隅をスポット接着させる構成にしてもよい。さらには、剥離紙２２の上端部および下端部の中央にスポット接着させることもできる。第二実施形態の隠蔽葉書１’は、上側用紙片３０’の構成と上側用紙片３０’と剥離紙２２の接着される構成が異なるだけで、その他は第一実施形態と同じであり、同じ符号を付して説明を省略する。
【図面の簡単な説明】
【００２８】
【図１】本発明に係る隠蔽葉書の第一実施形態を示す斜視図である。
【図２】図１のＸ−Ｘ線断面図である。
【図３】図１のＹ−Ｙ線断面図である。
【図４】本発明に係る隠蔽葉書の第一実施形態の上側用紙片を取外し、剥離紙の一部を剥離した状態を示す断面図である。
【図５】本発明に係る第一実施形態の隠蔽葉書を接着して形成させた隠蔽葉書の断面図である。
【図６】本発明に係る第一実施形態の隠蔽葉書を受取った受取人が隠蔽用紙片を剥離して取り除いた状態を説明するための断面図である。
【図７】本発明に係る第一実施形態の隠蔽葉書を受取った受取人が隠蔽用紙片を剥離して取り除いた状態を説明するための斜視図である。
【図８】本発明に係る隠蔽葉書の第二実施形態を示す斜視図である。
【図９】図８のＸ−Ｘ線断面図である。
【符号の説明】
【００２９】
１、１’                                隠蔽葉書
２                                      基紙
３                                      ミシン目線
４                                      開封用ミシン目線
１０                                    葉書本体片
１１                                    情報記入欄
２０                                    隠蔽用紙片
２０ａ                                  側端部
２１                                    透明性シート
２２                                    剥離紙
２３                                    隠蔽層
２４                                    第１の接着剤層
２５                                    剥離剤層
２６                                    粘着剤層
２７                                    第２の接着剤層
３０、３０’                            上側用紙片
３１                                    複写層
３２                                    スポット接着部
３３                                    切取線
３４                                    端部接着部
４１                                    切目
４１ａ                                  直線部
４１ｂ                                  斜線部
４２                                    交点
【図１】
2010125786.tif 000003
【図２】
2010125786.tif 000004
【図３】
2010125786.tif 000005
【図４】
2010125786.tif 000006
【図５】
2010125786.tif 000007
【図６】
2010125786.tif 000008
【図７】
2010125786.tif 000009
【図８】
2010125786.tif 000010
【図９】
2010125786.tif 000011